(57)【要約】【課題】昇降路内のスペースを活用し走行中の乗りかご内の乗客が容易かつ確実に情報を視認することができるエレベータの表示装置を提供する。【解決手段】エレベータの表示装置において、エレベータの昇降路内に設けられた乗りかご２０と、昇降路の内壁に乗りかご２０の昇降方向にわたって設けられ、情報を表示可能な映像表示部１１と、映像表示部１１の情報の表示を制御する表示制御手段１２、３４と、乗りかご２０の現在位置及び速度を含むかご情報を取得するかご情報取得部３２と、を備え、表示制御手段１２、３４は、かご情報取得部３２により取得されたかご情報に基づいて、映像表示部１１に表示された情報の表示位置を、走行する乗りかご２０に追従させて乗りかご２０との相対位置が変化しないように制御する。【選択図】図１
2016098080.tif 000002
【特許請求の範囲】
【請求項１】
エレベータの昇降路内に設けられた乗りかごと、
前記昇降路の内壁に前記乗りかごの昇降方向にわたって設けられ、情報を表示可能な表示手段と、
前記表示手段の情報の表示を制御する表示制御手段と、
前記乗りかごの現在位置及び速度を含むかご情報を取得するかご情報取得手段と、を備え、
前記表示制御手段は、前記かご情報取得手段により取得されたかご情報に基づいて、前記表示手段に表示された情報の表示位置を、走行する前記乗りかごに追従させて前記乗りかごとの相対位置が変化しないように制御するエレベータの表示装置。
【請求項２】
前記表示手段は、各階床の乗場の出入口の下方に取り付けられるフェッシャープレートに設けられた請求項１に記載のエレベータの表示装置。
【請求項３】
前記表示手段は、液晶パネルからなる請求項１又は請求項２に記載のエレベータの表示装置。
【請求項４】
前記表示手段は、複数の前記液晶パネルからなり、
複数の前記液晶パネル同士を、前記乗りかごの昇降方向に隙間なく接続する接続金具を備えた請求項３に記載のエレベータの表示装置。
【請求項５】
それぞれの前記液晶パネルの裏面に設けられ、当該液晶パネルの表示内容を制御する表示制御装置を備え、
前記液晶パネルと当該液晶パネルに設けられた前記表示制御装置とで１つの表示ユニットを形成し、
隣接する前記表示ユニット同士は、それぞれの前記表示ユニットに設けられた入出力端子を介して電気的に接続され、
前記表示ユニットは、隣接する前記表示ユニットとの間で、前記入出力端子を介して電力供給及び信号送受信を行う請求項４に記載のエレベータの表示装置。
【請求項６】
前記表示制御手段は、前記かご情報取得手段により取得されたかご情報に基づいて、前記乗りかごの現在位置に応じて前記表示手段に表示させる情報の内容を決定する請求項１から請求項５のいずれか一項に記載のエレベータの表示装置。
【発明の詳細な説明】
【技術分野】
【０００１】
この発明は、エレベータの表示装置に関するものである。
【背景技術】
【０００２】
従来におけるエレベータの表示装置においては、乗場敷居の下方で昇降路内に臨んで設けられているトーガード、トーガードの下方で昇降路内に臨んで設けられているフェッシャープレート、及び、ハンガレールケースをカバーするハンガーケースカバーに、情報を表示するための情報伝達媒体を設けたものが知られている（例えば、特許文献１参照）。
【０００３】
また、乗場ドア駆動装置カバー及び昇降路転落防止板に跨って設置された映像表示パネルを備え、乗りかごの運行時、乗りかご内からかごドアの防犯窓を通して映像表示パネルに表示される映像が見られるようにする防犯窓付きエレベータも従来において知られている（例えば、特許文献２参照）。
【先行技術文献】
【特許文献】
【０００４】
【特許文献１】特開２００５−１４５５９３号公報
【特許文献２】特開２０１０−０１３２４６号公報
【発明の概要】
【発明が解決しようとする課題】
【０００５】
しかしながら、特許文献１及び特許文献２に示された従来のエレベータの表示装置においては、乗りかごの走行速度が高速である場合には、乗りかご内の乗客は情報又は映像を視認することが困難である。また、乗りかごの走行速度が低速であったとしても、情報又は映像が乗りかご内の乗客の目に留まる時間が短く、情報又は映像を見落としたり、内容を最後まで理解することができなかったりするおそれがある。
【０００６】
この発明は、このような課題を解決するためになされたもので、昇降路内のスペースを活用して、乗りかごが走行中であっても、乗りかご内の乗客が、より容易かつ確実に情報を視認することができるエレベータの表示装置を得るものである。
【課題を解決するための手段】
【０００７】
この発明に係るエレベータの表示装置においては、エレベータの昇降路内に設けられた乗りかごと、前記昇降路の内壁に前記乗りかごの昇降方向にわたって設けられ、情報を表示可能な表示手段と、前記表示手段の情報の表示を制御する表示制御手段と、前記乗りかごの現在位置及び速度を含むかご情報を取得するかご情報取得手段と、を備え、前記表示制御手段は、前記かご情報取得手段により取得されたかご情報に基づいて、前記表示手段に表示された情報の表示位置を、走行する前記乗りかごに追従させて前記乗りかごとの相対位置が変化しないように制御する構成とする。
【発明の効果】
【０００８】
この発明に係るエレベータの表示装置においては、昇降路内のスペースを活用して、乗りかごが走行中であっても、乗りかご内の乗客が、より容易かつ確実に情報を視認することができるという効果を奏する。
【図面の簡単な説明】
【０００９】
【図１】この発明の実施の形態１に係るエレベータの表示装置の全体構成を示す斜視図である。
【図２】この発明の実施の形態１に係るエレベータの表示装置が備える表示ユニットの構成の一例を示す斜視図である。
【図３】この発明の実施の形態１に係るエレベータの表示装置が備える表示ユニットの構成の別の例を示す斜視図である。
【図４】この発明の実施の形態１に係るエレベータの表示装置の機能的な構成を示すブロック図である。
【図５】この発明の実施の形態１に係るエレベータの表示装置を乗りかご内から見た状態を説明する図である。
【図６】この発明の実施の形態１に係るエレベータの表示装置を乗りかご内から見た状態を説明する図である。
【図７】この発明の実施の形態１に係るエレベータの表示装置を昇降路外から見た状態を説明する図である。
【発明を実施するための形態】
【００１０】
この発明を添付の図面を参照しながら説明する。各図を通じて同符号は同一部分又は相当部分を示している。同符号の部分についての重複説明は適宜に簡略化あるいは省略する。
【００１１】
実施の形態１．
図１から図７は、この発明の実施の形態１に係るもので、図１はエレベータの表示装置の全体構成を示す斜視図、図２はエレベータの表示装置が備える表示ユニットの構成の一例を示す斜視図、図３はエレベータの表示装置が備える表示ユニットの構成の別の例を示す斜視図、図４はエレベータの表示装置の機能的な構成を示すブロック図、図５及び図６はエレベータの表示装置を乗りかご内から見た状態を説明する図、図７はエレベータの表示装置を昇降路外から見た状態を説明する図である。
【００１２】
エレベータの昇降路内には、図１に示すように、映像表示ユニット１０及び乗りかご２０が設置されている。乗りかご２０は、昇降路内において昇降自在に設けられている。映像表示ユニット１０は、ここでは複数設けられている。複数の映像表示ユニット１０は、昇降路の内壁に乗りかご２０の昇降方向にわたって設けられる。後述するように、複数の映像表示ユニット１０は、映像４０等の情報を表示可能な表示手段を含んでいる。
【００１３】
乗りかご２０の走行動作を含むエレベータの運転全般は、制御盤３０により制御される。制御盤３０は、昇降路内に設置してもよいし、昇降路外の例えば機械室等に設置してもよい。制御盤３０は、複数の映像表示ユニット１０に表示される情報（映像４０等）の内容の制御にも関わっている。
【００１４】
図２に、複数の映像表示ユニット１０の構成の一例を示す。この図２は、複数の映像表示ユニット１０を裏側から見たものである。それぞれの映像表示ユニット１０は、映像表示部１１と映像表示制御部１２とを備えている。映像表示部１１は、映像４０等の情報を表示可能な表示手段である。この表示手段である映像表示部１１は、ここでは液晶パネルから構成されている。
【００１５】
映像表示制御装置１２は、それぞれの液晶パネルすなわち映像表示部１１の裏面に取り付けられる。映像表示制御装置１２は、当該映像表示制御装置１２が設けられた液晶パネル（映像表示部１１）の表示内容を制御するためのものである。このようにして、液晶パネル（映像表示部１１）と当該液晶パネル（映像表示部１１）に設けられた映像表示制御装置１２とで１つの映像表示ユニット１０が形成される。
【００１６】
なお、後述するように、映像表示制御装置１２は、表示手段である映像表示部１１の情報の表示を制御する表示制御手段の一部を構成している。
【００１７】
前述したように、それぞれの映像表示ユニット１０の映像表示部１１は、１つの液晶パネルからなる。そして、複数の映像表示ユニット１０が乗りかご２０の昇降方向にわたって並べられることにより、複数の映像表示部１１すなわち液晶パネルが乗りかご２０の昇降方向にわたって並べられる。
【００１８】
それぞれの映像表示ユニット１０の映像表示制御装置１２の筐体には、図２に示すように、取付穴１３が形成されている。取付穴１３は、映像表示制御装置１２の筐体の左右側面における上端寄り及び下端寄りの位置にそれぞれ形成されている。
【００１９】
そして、これらの取付穴１３に対して接続金具１４が取り付けられることにより、上下に隣接する映像表示ユニット１０同士が互いに物理的に接続される。より詳しくは、相対的に下側に位置する映像表示ユニット１０に設けられた映像表示制御装置１２の筐体の左右の一側面の上寄りの取付穴１３と、相対的に上側に位置する映像表示ユニット１０に設けられた映像表示制御装置１２の筐体の左右の同じ側の一側面の下寄りの取付穴１３とに対して、１つの接続金具１４が取り付けられる。また、左右の他側においても同様である。
【００２０】
このように、表示手段は、複数の液晶パネルから構成されている。そして、これら複数の液晶パネルは、接続金具１４により乗りかご２０の昇降方向に隙間なく接続される。
【００２１】
また、隣接する映像表示ユニット１０同士は、それぞれの映像表示ユニット１０に設けられた入出力端子１５及び接続ケーブル１６を介して電気的に接続されている。すなわち、それぞれの映像表示ユニット１０の映像表示制御装置１２の筐体には、図２に示すように、入出力端子１５が形成されている。入出力端子１５は、映像表示制御装置１２の筐体の背面の一側寄りにおける上端寄り及び下端寄りの位置にそれぞれ形成されている。
【００２２】
そして、これらの入出力端子１５に対して接続ケーブル１６が取り付けられることにより、上下に隣接する映像表示ユニット１０同士が互いに電気的に接続される。より詳しくは、相対的に下側に位置する映像表示ユニット１０に設けられた映像表示制御装置１２の筐体の上寄りの入出力端子１５と、相対的に上側に位置する映像表示ユニット１０に設けられた映像表示制御装置１２の筐体の下寄りの入出力端子１５とに対して、１つの接続ケーブル１６の両端が差し込まれる。
【００２３】
このようにして、隣接する映像表示ユニット１０同士は、入出力端子１５及び接続ケーブル１６を介して電気的に接続される。そして、映像表示ユニット１０は、隣接する映像表示ユニット１０との間で、入出力端子１５及び接続ケーブル１６を介して電力供給及び信号送受信を行う。
【００２４】
すなわち、例えば、上下の一端に配置された映像表示ユニット１０に対してのみは、昇降路内の電源ケーブル等から直接的に電力が供給され、また、制御盤３０から信号の入力を受ける。そして、他の映像表示ユニット１０に対しては、当該一端に配置された映像表示ユニット１０に隣接するものから順に、入出力端子１５及び接続ケーブル１６を介して電力供給及び信号入出力が行われる。
【００２５】
図３は、隣接する映像表示ユニット１０同士を接続する構造の別の例を示すものである。この図３に示す例においては、それぞれの映像表示ユニット１０の液晶パネル（映像表示部１１）の裏面に取付穴１３が形成されている。より詳しくは、取付穴１３は、液晶パネル（映像表示部１１）の裏面の左右両端寄りにおける上端寄り及び下端寄りの位置にそれぞれ形成されている。つまり、１つの液晶パネルにつき４箇所に取付穴１３が形成されている。
【００２６】
そして、これらの取付穴１３に対して接続金具１４が取り付けられることにより、上下に隣接する映像表示ユニット１０同士が互いに物理的に接続される。すなわち、相対的に下側に位置する映像表示ユニット１０が備える液晶パネルの左右の一側端寄りにおける上寄りの取付穴１３と、相対的に上側に位置する映像表示ユニット１０が備える液晶パネルの左右の同じ側の一側端寄りにおける下寄りの取付穴１３とに対して、１つの接続金具１４が取り付けられる。また、左右の他側においても同様である。
【００２７】
このようにして、この図３に示した例においても、表示手段は、複数の液晶パネルから構成されている。そして、これら複数の液晶パネルは、接続金具１４により乗りかご２０の昇降方向に隙間なく接続される。なお、他の構成については図２に示したものと同様である。
【００２８】
以上のように、複数の映像表示ユニット１０を用いて表示手段を設置することで、据付工程において、分割された映像表示ユニット１０を昇降路内に持ち込んでから連結すればよいため、エレベータの昇降路側への施工が減り、据付負荷を軽減する事ができる。また、入出力端子１５及び接続ケーブル１６を用いて電力供給及び信号送受信を隣接する映像表示ユニット１０同士で行うことができるようにすることで、配線の簡略化が可能となり、据付負荷をさらに軽減することができる。
【００２９】
次に、図４のブロック図を参照しながら、エレベータの表示装置の機能的な構成について説明する。前述したように、乗りかご２０の走行動作は、制御盤３０により制御されている。この目的のため、制御盤３０には、かご制御部３１が備えられている。
【００３０】
かご制御部３１は、乗りかご２０の現在位置及び速度、並びに、エレベータの呼び登録状況等に基づいて、乗りかご２０の走行を制御する。ここで、乗りかご２０の現在位置及び速度の情報は、例えば、昇降路内に設けられた位置スイッチの動作状況及び乗りかご２０の昇降を駆動する巻上機に設けられたエンコーダからの出力信号等を用いて得ることができる。
【００３１】
また、さらに、制御盤３０には、かご情報取得部３２、記憶部３３及び映像制御信号生成部３４も備えられている。かご情報取得部３２は、乗りかご２０の現在位置及び速度を含むかご情報を取得するかご情報取得手段である。前述したように、かご制御部３１は乗りかご２０の走行制御において乗りかご２０の現在位置及び速度の情報を使用している。そこで、かご情報取得部３２は、かご制御部３１から、乗りかご２０の現在位置及び速度を含む情報をかご情報として取得する。なお、かご情報取得部３２は、かご制御部３１からでなく、前述した位置スイッチ及び巻上機のエンコーダ等から直接にかご情報を取得するようにしてもよい。
【００３２】
記憶部３３には、表示手段すなわち映像表示ユニット１０の映像表示部１１（液晶パネル）に表示する情報の内容が予め記憶されている。なお、表示手段に表示する情報の内容は、乗りかご２０の現在位置に無関係なものを含んでよいし、乗りかご２０の現在位置によって変化する、すなわち、乗りかご２０の現在位置に応じて決定されるものを含んでもよい。後者の、乗りかご２０の現在位置によって変化する情報とは、例えば、乗りかご２０の現在位置に最も近い階床の情報等である。また、さらに、乗りかご２０の次の停止階に応じて決定される情報を表示手段に表示する情報として含むようにしてもよい。
【００３３】
映像制御信号生成部３４は、かご情報取得部３２により取得されたかご情報と、記憶部３３に記憶されている情報とに基づいて、各映像表示ユニット１０へと出力する制御信号を生成する。この映像制御信号生成部３４が生成する制御信号には、少なくとも、表示する情報の内容と、当該情報を表示手段（映像表示部１１すなわち液晶パネル）において表示する位置とが含まれている。
【００３４】
映像制御信号生成部３４は、記憶部３３に記憶されている情報を参照して、表示手段すなわち映像表示ユニット１０の映像表示部１１（液晶パネル）に表示する情報を決定する。この際、乗りかご２０の現在位置によって変化する情報を映像表示部１１に表示する場合には、映像制御信号生成部３４は、かご情報取得部３２により取得されたかご情報に基づいて、乗りかご２０の現在位置に応じて表示手段（映像表示部１１）に表示させる情報の内容を決定する。
【００３５】
また、映像制御信号生成部３４は、かご情報取得部３２により取得されたかご情報に基づいて、表示手段すなわち映像表示ユニット１０の映像表示部１１（液晶パネル）に表示された情報の表示位置を、走行する乗りかご２０に追従させて乗りかご２０との相対位置が変化しないように決定する。
【００３６】
すなわち、乗りかご２０が停止していれば表示手段である映像表示部１１（液晶パネル）に表示された情報の表示位置も停止させる。また、乗りかご２０が走行していれば、乗りかご２０の走行方向及び走行速度と同じ方向及び速度で、表示手段である映像表示部１１（液晶パネル）に表示された情報の表示位置を移動させる。
【００３７】
この際、表示手段は複数の液晶パネルにより構成されているが、前述したように複数の液晶パネルは乗りかご２０の昇降方向にわたって隙間なく連続するように並べられているため、情報の表示位置が複数の液晶パネルにまたがっても、情報を途切れることなく表示することができる。
【００３８】
映像制御信号生成部３４により生成された制御信号は、それぞれの映像表示ユニット１０の映像表示制御装置１２へと送信される。この際、制御盤３０の映像制御信号生成部３４から直接に制御信号を受ける映像表示ユニット１０の映像表示制御装置１２は、例えば上下の一端に配置されているもののみである。他の映像表示ユニット１０の映像表示制御装置１２は、隣接する映像表示ユニット１０の映像表示制御装置１２から、入出力端子１５及び接続ケーブル１６を介して映像制御信号生成部３４からの制御信号を受け取る。
【００３９】
それぞれの映像表示ユニット１０の映像表示制御装置１２は、受信した制御信号に従って、当該映像表示ユニット１０の映像表示部１１に情報を表示させる。このようにして、複数の映像表示ユニット１０の映像表示部１１の全体により表示手段が構成される。そして、各映像表示ユニット１０の映像表示制御部１２及び映像制御信号生成部３４は、表示手段における情報の表示を制御する表示制御手段を構成している。
【００４０】
こうして構成された表示制御手段は、かご情報取得部３２により取得されたかご情報に基づいて、表示手段である映像表示ユニット１０の映像表示部１１に表示された情報の表示位置を、走行する乗りかご２０に追従させて乗りかご２０との相対位置が変化しないように制御している。また、表示制御手段は、かご情報取得部３２により取得されたかご情報に基づいて、乗りかご２０の現在位置に応じて表示手段（映像表示部１１）に表示させる情報の内容を決定している。
【００４１】
次に図５から図７を参照しながら、以上のように構成されたエレベータの表示装置の動作の一例を説明する。これらの図において示す例では、表示手段である映像表示部１１を備えた映像表示ユニット１０は、昇降路内において、乗りかご２０の正面に設けられたかご出入口と対向するようにして設けられている。一方、停止階に停止中の乗りかご２０のかご出入口に対向する昇降路の壁部には、乗場出入口が設けられている。よって、映像表示ユニット１０と乗場出入口とは、いずれも昇降路の同じ内壁面（乗りかご２０のかご出入口に対向する内壁面）に設けられることとなる。
【００４２】
ここで、各階床の乗場の出入口の下方には、フェッシャープレート５０が設けられている。フェッシャープレート５０は、かご出入口と昇降路の内壁面との間に形成される隙間の寸法を、基準値よりも狭くするために設けられるものである。前述したように映像表示ユニット１０と乗場出入口とは昇降路の同じ内壁面に設けられるため、結局、映像表示ユニット１０、乗場出入口及びフェッシャープレート５０の三者は、昇降路の同じ内壁面に設けられることになる。
【００４３】
そこで、ここでは、表示手段である映像表示ユニット１０の映像表示部１１（液晶パネル）を、フェッシャープレート５０に設けることで、フェッシャープレート５０部分にも情報を表示することができる。この際、映像表示部１１（液晶パネル）の前面は、フェッシャープレート５０として機能するために必要十分な強度を備えるものとする。さらに、映像表示ユニット１０そのものがフェッシャープレート５０を兼ねるようにしてもよい。この場合においては、映像表示ユニット１０の前面に設けられる映像表示部１１（液晶パネル）については、フェッシャープレート５０として機能するために必要十分な強度に加え、大きさ及び設置位置についてもフェッシャープレート５０として機能することができるように設計される。
【００４４】
図５に示すのは、映像表示ユニット１０の映像表示部１１（液晶パネル）に何らの情報も表示していない状態である。この状態においては、乗場出入口より下方の映像表示ユニット１０は専らフェッシャープレート５０としての機能を果たしている。
【００４５】
乗りかご２０の正面に設けられたかご出入口には、このかご出入口を開閉するかご戸２１が設けられている。かご戸２１には、窓２２が設けられている。乗りかご２０内の乗客はこの窓２２を通して乗りかご２０の外部を見ることができる。映像表示ユニット１０は窓２２の側に設けられているため、乗りかご２０内の乗客は窓２２を通して映像表示ユニット１０兼フェッシャープレート５０を見ることができる。
【００４６】
次に、図６に示すのは、映像表示ユニット１０の映像表示部１１（液晶パネル）に情報として映像４０を表示した状態である。この際、映像制御信号生成部３４は、かご情報取得部３２が取得したかご情報に含まれる現在の乗りかご２０の位置及び速度に基づいて、乗りかご２０の窓２２の正面に映像４０が表示されるように、映像表示部１１における映像４０の表示位置を決定する。映像表示部１１に表示された映像４０は、乗りかご２０の走行に合わせてその表示位置が変化し、走行する乗りかご２０を追従する。
【００４７】
したがって、乗りかご２０に対する映像４０の相対位置は変化せず、走行中の乗りかご２０内の乗客からは、あたかも乗りかご２０に対して映像４０が静止しているように見える。したがって、乗りかご２０の走行中であっても、乗りかご２０の位置及び走行速度等にかかわらず、乗りかご２０内の乗客は窓２２を通して映像表示ユニット１０映像表示部１１（液晶パネル）に表示された映像４０を視認することができる。
【００４８】
そして、図７に示すのは、以上のように構成されたエレベータの表示装置を展望エレベータに適用した例である。この図７の例では、昇降路の壁部は、映像表示ユニット１０が設けられる面を除いて開放され、あるいは、ガラス張りになっている。したがって、昇降路外の例えば通行人等は、昇降路の外側から昇降路内の映像表示ユニット１０及び映像表示部１１に表示された映像４０を視認することができる。
【００４９】
この際に、映像４０の表示位置を映像表示ユニット１０に対して静止させるのではなく、乗りかご２０に追従させて動かすことで、走行する乗りかご２０と表示された映像４０とが交差することがないため、昇降路外の者が乗りかご２０のせいで映像４０を視認できなくなることがないようにすることができる。また、映像４０が乗りかご２０に追従して動くため、視覚的な効果を期待することも可能である。なお、映像４０の表示位置を映像表示ユニット１０に対して静止させた場合であっても、複数の映像表示ユニット１０を大型ディスプレイとして用いることができる。
【００５０】
さらに、昇降路外の者から見て映像４０が常に乗りかご２０の下方側に表示されるようにすることで、表示された映像４０が昇降路外の者から見て乗りかご２０の死角に入ることがないため、昇降路外の者が常に表示された映像４０を視認することができる。
【００５１】
なお、展望エレベータの場合、乗りかご２０のかご戸２１部分のみならず、乗りかご２０の奥側（反かご出入口側）がガラス張りにされることが多い。したがって、主に乗りかご２０内の乗客向けに映像表示部１１に情報を表示する場合には、映像表示ユニット１０を昇降路内のかご出入口と対向する内壁面のみならず、他の内壁面に設置することも可能である。
【００５２】
以上のように構成されたエレベータの表示装置は、エレベータの昇降路内に設けられた乗りかご２０と、昇降路の内壁に乗りかごの昇降方向にわたって設けられ、情報を表示可能な表示手段である映像表示部１１と、表示手段の情報の表示を制御する表示制御手段である映像表示制御装置１２及び映像制御信号生成部３４と、乗りかごの現在位置及び速度を含むかご情報を取得するかご情報取得部３２と、を備えている。そして、表示制御手段は、かご情報取得部３２により取得されたかご情報に基づいて、表示手段に表示された情報の表示位置を、走行する乗りかご２０に追従させて乗りかご２０との相対位置が変化しないように制御するものである。
【００５３】
このため、昇降路内のスペースを活用して設置した映像表示ユニット１０の映像表示部１１に、乗りかご２０に追従して乗りかご２０との相対位置が変化しないように情報を表示することで、乗りかご２０が走行中であっても、表示された情報を乗りかご２０内の乗客の視界に長く留まらせ、乗りかご２０内の乗客が、より容易かつ確実に情報を視認することが可能である。
【符号の説明】
【００５４】
１０  映像表示ユニット、  １１  映像表示部、  １２  映像表示制御装置、  １３  取付穴、  １４  接続金具、  １５  入出力端子、  １６  接続ケーブル、  ２０  乗りかご、  ２１  かご戸、  ２２  窓、  ３０  制御盤、  ３１  かご制御部、  ３２  かご情報取得部、  ３３  記憶部、  ３４  映像制御信号生成部、  ４０  映像、  ５０  フェッシャープレート
【図１】
2016098080.tif 000003
【図２】
2016098080.tif 000004
【図３】
2016098080.tif 000005
【図４】
2016098080.tif 000006
【図５】
2016098080.tif 000007
【図６】
2016098080.tif 000008
【図７】
2016098080.tif 000009